(57)【要約】      （修正有）【課題】消防用結合継手の受け具の受け口の周囲の外周側の構造部分において、外周端部の損傷や当該外周端部による取扱者の打撲などを抑制することのできる構造を提供する。【解決手段】消防用結合継手の受け具は、受け口の周囲の最も外周側に設けられた構造として、軸線方向先端側に向いた段差面を備える第１の段部２３ｐ１、及び、軸線方向基端側に向いた段差面を備える第２の段部２３ｐ２を外周端部２３ｂ、２３ｃ以外の部分に備えた硬質材料の表面で一体に構成される外周面部２３ａと、当該外周面部２３ａ上に装着され、前記外周面部２３ａよりも軟質の材料で構成されるとともに、第１の段部２３ｐ１及びその軸線方向両側の隣接領域並びに第２の段部２３ｐ２及びその軸線方向両側の隣接領域を共に一体的に包摂する態様で嵌合する保護部材２７と、を有する。【選択図】図２
0003218066.tif 000002
【実用新案登録請求の範囲】
【請求項１】
差し口を有する差し具と、前記差し口を受け入れ可能に構成された受け口を有し、前記差し具を受け入れた状態で結合可能に構成された受け具とを具備する消防用結合継手において、
前記受け具は、前記受け口の周囲の最も外周側に設けられた構造として、
軸線方向先端側に向いた段差面を備える第１の段部、及び、軸線方向基端側に向いた段差面を備える第２の段部を外周端部以外の部分に備えた硬質材料の表面で一体に構成される外周面部と、
当該外周面部上に装着され、前記外周面部よりも軟質の材料で構成されるとともに、前記第１の段部及びその軸線方向両側の隣接領域並びに前記第２の段部及びその軸線方向両側の隣接領域を共に一体的に包摂する態様で嵌合する保護部材と、
を有する、
消防用結合継手。
【請求項２】
前記保護部材は、前記外周面部の軸線方向の範囲全体を一体に包摂する、
請求項１に記載の消防用結合継手。
【請求項３】
前記外周面部は、軸線方向先端側の隣接領域及び軸線方向基端側の隣接領域よりも突出した凸部を備え、
前記第１の段部及び前記第２の段部は、前記凸部の軸線方向先端側の外側部及び軸線方向基端側の外側部により構成される、
請求項１又は２に記載の消防用結合継手。
【請求項４】
前記外周面部は、軸線方向先端側の隣接領域及び軸線方向基端側の隣接領域よりも没入した凹部を備え、
前記第１の段部及び前記第２の段部は、前記凹部の軸線方向先端側の内側部及び軸線方向基端側の内側部により構成される、
請求項１又は２に記載の消防用結合継手。
【請求項５】
前記第１の段部の段差面及び前記第２の段部の段差面は、斜め上方に向いた傾斜面で構成される、
請求項１〜４の何れか一項に記載の消防用結合継手。
【請求項６】
差し具の差し口を受け入れるための受け口を有し、前記差し具を受け入れた状態で結合可能に構成された消防用結合継手の受け具において、
前記受け口の周囲の最も外周側に設けられた構造として、
軸線方向先端側に向いた段差面を備える第１の段部、及び、軸線方向基端側に向いた段差面を備える第２の段部を外周端部以外の部分に備えた硬質材料の表面で構成される一体の外周面部と、
当該外周面部上に装着され、前記外周面部よりも軟質の材料で構成されるとともに、前記第１の段部及びその軸線方向両側の隣接領域並びに前記第２の段部及びその軸線方向両側の隣接領域を共に一体的に包摂する態様で嵌合する保護部材と、
を有する、
消防用結合継手の受け具。
【請求項７】
前記保護部材は、前記外周面部の軸線方向の範囲全体を一体に包摂する、
請求項６に記載の消防用結合継手の受け具。
【請求項８】
前記外周面部は、軸線方向先端側の隣接領域及び軸線方向基端側の隣接領域よりも突出した凸部を備え、
前記第１の段部及び前記第２の段部は、前記凸部の軸線方向先端側の外側部及び軸線方向基端側の外側部により構成される、
請求項６又は７に記載の消防用結合継手の受け具。
【請求項９】
前記外周面部は、軸線方向先端側の隣接領域及び軸線方向基端側の隣接領域よりも没入した凹部を備え、
前記第１の段部及び前記第２の段部は、前記凹部の軸線方向先端側の内側部及び軸線方向基端側の内側部により構成される、
請求項６又は７に記載の消防用結合継手の受け具。
【請求項１０】
前記第１の段部の段差面及び前記第２の段部の段差面は、斜め上方に向いた傾斜面で構成される、
請求項６〜９の何れか一項に記載の消防用結合継手の受け具。
【考案の詳細な説明】
【技術分野】
【０００１】
本考案は消防用結合継手及びその受け具に関する。
【背景技術】
【０００２】
従来から消防用結合継手として、消防ホースを連結するための消防ホース用結合継手、或いは、管槍などの器具を連結するための消防器具用結合継手として、各種の消防用結合継手が使用されている。このうちの差込式結合継手は、図７及び図８に示すように、相互に着脱可能に構成された差し具１０と受け具２０を有し、差し具１０を、爪座２６の内面から係合爪２４が出没自在に設置された受け具２０の受け口２０ａ内に挿入すると、差し具１０の先端筒部１１の基端にある係止段部１１ｂが、板ばね２５によって内側へ突出する方向に付勢された係合爪２４に係合し、上記係止段部１１ｂが抜け止めされることにより、互いに結合され、結合部分はゴムパッキン２８により密閉された状態となる（例えば、以下の特許文献１参照）。
【０００３】
ここで、受け具２０において、受け口２０ａの周囲の最も外周側にある締め輪２３の外周面上には、タイヤと呼ばれるゴムバンドなどの保護部材２７が装着される。この保護部材２７は、締め輪２３の外周面に形成された環状凹溝２３ａに嵌合した状態となるように取付けられる。
【先行技術文献】
【特許文献】
【０００４】
【特許文献１】特開２００３−１８５０７９号公報
【考案の概要】
【考案が解決しようとする課題】
【０００５】
上述のように、締め輪２３の環状凹溝２３ａに保護部材２７が嵌合した状態では、締め輪２３の軸線方向の外周端部２３ｂ及び２３ｃが外部に露出した状態となるとともに、これらの外周端部は保護部材２７の底部よりも高い位置に角部を有するため、消防用ホースなどに接続された状態で引きずられることなどにより、外周端部２３ｂ，２３ｃが損傷を受けやすいという問題がある。また、外周端部２３ｂ，２３ｃは取扱者の手足に当たりやすいため、取扱者が打撲するおそれも高い。なお、特許文献１に開示される継手のカバー部材８，９は図７及び図８の保護部材２７とは若干形状が異なるものの、環状凹溝内に装着されている点では同じであり、また、少なくとも一方の外周端部が露出し、かつ、高い位置に配置されている点では上記と何ら変わりがない。
【０００６】
そこで、本考案の課題は、消防用結合継手の受け具の受け口の周囲の外周側の構造部分において、外周端部の損傷や当該外周端部による取扱者の打撲などを抑制することのできる構造を提供することにある。
【課題を解決するための手段】
【０００７】
上記課題を解決するために、本考案の消防用結合継手は、差し口を有する差し具と、前記差し口を受け入れ可能に構成された受け口を有し、前記差し具を受け入れた状態で結合可能に構成された受け具とを具備する消防用結合継手において、前記受け具は、前記受け口の周囲の最も外周側に設けられた構造として、軸線方向先端側に向いた段差面を備える第１の段部、及び、軸線方向基端側に向いた段差面を備える第２の段部を外周端部以外の部分に備えた硬質材料の表面で一体に構成される外周面部と、当該外周面部上に装着され、前記外周面部よりも軟質の材料で構成されるとともに、前記第１の段部及びその軸線方向両側の隣接領域並びに前記第２の段部及びその軸線方向両側の隣接領域を共に一体的に包摂する態様で嵌合する保護部材と、を有する。
【０００８】
本考案において、前記保護部材は、前記外周面部の軸線方向の範囲全体を一体に包摂することが好ましい。
【０００９】
本考案において、前記外周面部は、軸線方向先端側の隣接領域及び軸線方向基端側の隣接領域よりも突出した凸部を備え、前記第１の段部及び前記第２の段部は、前記凸部の軸線方向先端側の外側部及び軸線方向基端側の外側部により構成されることが好ましい。
【００１０】
本考案において、前記外周面部は、軸線方向先端側の隣接領域及び軸線方向基端側の隣接領域よりも没入した凹部を備え、前記第１の段部及び前記第２の段部は、前記凹部の軸線方向先端側の内側部及び軸線方向基端側の内側部により構成されることが好ましい。
【００１１】
また、本考案に係る消防用結合継手の受け具は、差し具の差し口を受け入れるための受け口を有し、前記差し具を受け入れた状態で結合可能に構成された消防用結合継手の受け具において、前記受け口の周囲の最も外周側に設けられた構造として、軸線方向先端側に向いた段差面を備える第１の段部、及び、軸線方向基端側に向いた段差面を備える第２の段部を外周端部以外の部分に備えた硬質材料の表面で構成される一体の外周面部と、当該外周面部上に装着され、前記外周面部よりも軟質の材料で構成されるとともに、前記第１の段部及びその軸線方向両側の隣接領域並びに前記第２の段部及びその軸線方向両側の隣接領域を共に一体的に包摂する態様で嵌合する保護部材と、を有する。
【考案の効果】
【００１２】
この考案によれば、外周面部上に装着された保護部材が、外周面部上の第１の段部及びその軸線方向両側の隣接領域並びに第２の段部及びその軸線方向両側の隣接領域を一体に包摂する態様で嵌合することにより、外周面部の外周端部を外部に露出させる必要がなくなったり、或いは、外周面部の外周端部が露出しても高い位置に設ける必要がなくなったりするので、消防用結合継手の受け具の受け口の周囲の外周側の構造部分において、外周端部の損傷や当該外周端部による取扱者の打撲などを抑制することができる。
【図面の簡単な説明】
【００１３】
【図１】この考案に係る消防用結合継手の第１実施形態の結合状態を示す縦断面図である。
【図２】第１実施形態の受け具の外周部上の保護部材の構造を示す拡大断面図である。
【図３】第２実施形態の受け具の外周部上の保護部材の構造を示す拡大断面図である。
【図４】第３実施形態の受け具の外周部上の保護部材の構造を示す拡大断面図である。
【図５】第４実施形態の受け具の外周部上の保護部材の構造を示す拡大断面図である。
【図６】第５実施形態の受け具の外周部上の保護部材の構造を示す拡大断面図である。
【図７】第６実施形態の受け具の外周部上の保護部材の構造を示す拡大断面図である。
【図８】従来の消防用結合継手の縦断面図である。
【図９】従来の消防用結合継手の斜視図である。
【考案を実施するための形態】
【００１４】
次に、添付図面を参照して本考案の実施形態について詳細に説明する。最初に、図１乃至図２を参照して、本考案に係る消防用結合継手の第１実施形態について説明する。
【００１５】
第１実施形態の消防用結合継手１は、差し具１０と受け具２０を有する。差し具１０は、差し具本体１２の軸線方向先端側（図示左側）に先端筒部１１を備える差し口１０ａを有する。先端筒部１１は差し具本体１２の外径より大きな外径を備えた外周面１１ａと、その軸線方向基端側（図示右側）に設けられた係止段部１１ｂとを有する。受け具２０は、差し口１０ａを受け入れ可能な受け口２０ａを備えるとともに、この受け口２０ａの内部に出没可能に取り付けられた係止爪２４を備える。この係止爪２４は、板ばね２５によって内側に突出する向きに付勢されている。受け具２０の受け口２０ａの周囲の最も外周側には締め輪２３が配置される。この締め輪２３は、受け具本体２２に螺合等によって固定される。
【００１６】
図２に示すように、本実施形態の締め輪２３の外周面部２３ａは、全体として、それぞれが反対側の外周端部である軸線方向先端部２３ｂから軸線方向基端部２３ｃまでの範囲を備える円筒面状に構成される。ただし、軸線方向に沿った中間位置（軸線方向（図示左右）のいずれかに偏った位置であってもよい。以下同様。）に、凸部２３ｐが設けられる。この凸部２３ｐは、軸線方向先端側（図示右側）の隣接領域及び軸線方向基端側（図示左側）の隣接領域より高い表面を備える。また、この凸部２３ｐの軸線方向先端側の外側部は、軸線方向先端側に向かう段差面で構成される第１の段部２３ｐ１となっている。さらに、凸部２３ｐの軸線方向基端側の外側部は、軸線方向基端側に向かう段差面で構成される第２の段部２３ｐ２となっている。なお、図示例では、第１の段部２３ｐ１と第２の段部２３ｐ２の各段差面は、それぞれ、軸線方向先端側と軸線方向基端側の斜め上方に向いた傾斜面となっている。これにより、保護部材２７の装着作業及び取外作業を容易化することができる。この点は、以下の各実施形態でも同様である。ただし、上記段差面は、いずれも、垂直面で構成されていてもよく、上記とは逆に斜め下方に向いた傾斜面となっていてもよい。さらに、上記段差面は、図示例のように平坦な面であることが好ましいが、これに限定されるものではなく、凹凸構造を有する粗面や凹凸面であってもよく、複数の段差部分によって構成される複合面であってもよい。
【００１７】
保護部材２７は、上記外周面部２３ａに対して、上記の凸部２３ｐと嵌合する態様で装着される。保護部材２７は、上記外周面部２３ａと整合する面形状を備える下面２７ａと、この下面２７ａの反対側に設けられて外部に露出する上面２７ｂとを備える。下面２７ａは、上記凸部２３ｐと嵌合する凹部２７ｄを備えている。保護部材２７は、締め輪２３に対する装着状態において、凸部２３ｐと凹部２７ｄが嵌合するように構成され、第１の段部２３ｐ１と対面（好ましくは密着、以下同様。）する内側面である第１の段部２７ｄ１と、第２の段部２３ｐ２と対面する内側面である第２の段部２７ｄ２とを備える。上面２７ｂは、軸線方向先端側から軸線方向基端側へ向けてなだらかな山形の輪郭形状を備える。
【００１８】
本実施形態において、保護部材２７は、上記外周面部２３ａの軸線方向先端部２３ｂから軸線方向基端部２３ｃまでの、軸線方向の全範囲を覆うように一体に形成される。これにより、締め輪２３の外周端部が露出することがないため、当該外周端部が損傷を受けたり、当該外周端部によって取扱者が打撲したりすることが抑制される。
【００１９】
図３には、第２実施形態の外周面部２３ａと、この外周面部２３ａ上に装着された保護部材２７の装着構造を示す。第２実施形態において、図３に示す構造以外の構成については、第１実施形態と同様である。この第２実施形態では、外周面部２３ａの軸線方向の中間位置に凹部２３ｄが設けられ、この凹部２３ｄの軸線方向両側の内側面である第１の段部２３ｄ１と第２の段部２３ｄ２が形成されている。一方、保護部材２７の下面２７ａは、上記外周面部２３ａと整合し、上記凹部２３ｄに嵌合する凸部２７ｐを備える。凸部２７ｐには、軸線方向両側の外側部である第１の段部２７ｐ１と第２の段部２７ｐ２が形成される。保護部材２７の装着状態では、上記第１の段部２３ｄ１と第１の段部２７ｐ１が対面し、第２の段部２３ｄ２と第２の段部２７ｐ２が対面して、上記凹部２３ｄと上記凸部２７ｐが嵌合する。
【００２０】
図４には、第３実施形態の外周面部２３ａと、この外周面部２３ａ上に装着された保護部材２７の装着構造を示す。第３実施形態において、図４に示す構造以外の構成については、第１実施形態と同様である。この第３実施形態では、第１実施形態と同様に、外周面部２３ａの軸線方向の中間位置に凸部２３ｐが設けられ、この凸部２３ｐの軸線方向両側の外側部である第１の段部２３ｐ１と第２の段部２３ｐ２が形成されている。ただし、第１実施形態では、凸部２３ｐの軸線方向の幅が外周面部２３ａの全幅の半分より小さいのに対して、第３実施形態では、凸部２３ｐの軸線方向の幅が外周面部２３ａの全幅の半分より大きい点で異なる。また、これに対応して、保護部材２７の下面２７ａに形成された凹部２７ｄの軸線方向の幅も、第１実施形態よりも大きくなっている。図示例のように、保護部材２７が外周面部２３ａの軸線方向の全幅を覆う場合には、保護部材２７の凹部２７ｄの軸線方向の幅は、外周面部２３ａの軸線方向の全幅の半分より大きくなる。
【００２１】
図５には、第４実施形態の外周面部２３ａと、この外周面部２３ａ上に装着された保護部材２７の装着構造を示す。第４実施形態において、図５に示す構造以外の構成については、第１実施形態と同様である。この第４実施形態では、外周面部２３ａの軸線方向の中間位置に凹部２３ｄが設けられ、この凹部２３ｄの軸線方向両側の内側部である第１の段部２３ｄ１と第２の段部２３ｄ２が形成されている。一方、保護部材２７の下面２７ａは、上記外周面部２３ａと整合し、上記凹部２３ｄに嵌合する凸部２７ｐを備える。この実施形態では、第３実施形態の凸部２３ｐと同様に、凹部２３ｄの軸線方向の幅が外周面部２３ａの軸線方向の全幅の半分より大きく形成されている。また、凸部２７ｐは、第３実施形態の凹部２７ｄと同様に、上記凹部２３ｄの軸線方向の幅に対応する軸線方向の幅を備える。
【００２２】
図６には、第５実施形態の外周面部２３ａと、この外周面部２３ａ上に装着された保護部材２７の装着構造を示す。第５実施形態において、図６に示す構造以外の構成については、第１実施形態と同様である。この第５実施形態では、外周面部２３ａにおいて、軸線方向に複数（図示例では二つ）の凸部２３ｐが設けられ、これらの凸部２３ｐのそれぞれに、軸線方向両側の外側部である第１の段部２３ｐ１と第２の段部２３ｐ２が形成されている。また、保護部材２７の下面２７ａには、上記の複数の凸部２３ｐに対応する位置及び大きさの複数の凹部２７ｄが設けられる。
【００２３】
図７には、第６実施形態の外周面部２３ａと、この外周面部２３ａ上に装着された保護部材２７の装着構造を示す。第６実施形態において、図７に示す構造以外の構成については、第１実施形態と同様である。この第６実施形態では、外周面部２３ａにおいて、軸線方向に複数（図示例では二つ）の凹部２３ｄが設けられ、これらの凹部２３ｄのそれぞれに、軸線方向両側の内側部である第１の段部と第２の段部が形成されている。また、保護部材２７の下面２７ａには、上記の複数の凹部２３ｄに対応する位置及び大きさの複数の凸部２７ｐが設けられる。
【００２４】
上記各実施形態では、受け具２０の受け口２０ａの周囲の最も外周側の構造として、軸線方向先端側に向いた段差面を備える第１の段部と、軸線方向基端側に向いた段差面を備える第２の段部とが外周端部２３ｂ，２３ｃ以外の部分に設けられた外周面部２３ａと、当該外周面部２３ａ上に装着され、外周面部２３ａよりも軟質の材料で構成されるとともに、第１の段部及びその軸線方向両側の隣接領域並びに第２の段部及びその軸線方向両側の隣接領域を共に一体的に包摂する態様で嵌合する保護部材２７と、を有する。これにより、外周面部２３ａの外周端部２３ｂ，２３ｃを外部に露出させる必要がなくなったり、或いは、外周端部２３ｂ，２３ｃが外部に露出しても高い位置に設ける必要がなくなったりするので、消防用結合継手の受け具２０の保護部材２７から軸線方向に露出した外周端部２３ｂ，２３ｃの損傷や当該外周端部２３ｂ，２３ｃによる取扱者の打撲などを抑制することができる。
【００２５】
各実施形態において、外周面部２３ａに対する保護部材２７の保持特性は、従来構造とほとんど変わらない。特に、外周面部２３ａ上の第１の段部と第２の段部が保護部材２７によって完全に包摂されていることにより、これらの段部の少なくとも一方が外周端部２３ｂ，２３ｃの少なくとも一方から軸線方向に離れているため、保護部材２７の上面２７ｂの軸線方向の一方の端部近傍に外力が加わっても、外周面部２３ａと保護部材２７の嵌合構造に影響を与え難い。このため、図示例のように、各段部の段差量が比較的小さくても、或いは、前述のように各段部の段差面が斜め上方へ向いた傾斜面であっても、外周面部２３ａに対する保護部材２７の保持特性は低下しにくい。
【００２６】
なお、本考案の消防用結合継手及びその受け具は、上述の図示例のみに限定されるものではなく、本考案の要旨を逸脱しない範囲内において種々変更を加え得ることは勿論である。例えば、上記各実施形態では、受け具２０の本体２２に固定された締め輪２３の外周面部２３ａと保護部材２７との嵌合構造として説明したが、本考案は、本体２２に固定された締め輪２３に限らず、受け具２０の受け口２０ａの周囲の最も外周側にある部分に上記嵌合構造が設けられていればよい。また、上記各実施形態では、外周面部２３ａの軸線方向の全幅と、保護部材２７の軸線方向の全幅とが相互に一致する寸法に設定されるとともに相互に一致する状態で保護部材２７が外周面部２３ａ上に装着されているが、本考案はこのような態様に限定されるものではなく、例えば、外周面部２３ａの軸線方向の全幅よりも、保護部材２７の軸線方向の全幅が多少短くてもよく、多少長くなっていてもよい。さらに、上記各実施形態では、差し具１０の係止段部１１ｂに受け具２０の係止爪２４が係合して結合する結合構造を備えているが、本考案は、差し具１０と受け具２０からなる差込式の結合継手であればよく、結合構造そのものの異同には拘わらない。
【符号の説明】
【００２７】
１…消防用結合継手、１０…差し具、１０ａ…差し口、１１…先端筒部、１２…本体、１４…解除部材、２０…受け具、２０ａ…受け口、２２…本体、２３…締め輪、２３ａ…外周面部、２３ｂ，２３ｃ…外周端部、２３ｐ…凸部、２３ｄ…凹部、２３ｐ１，２３ｄ１…第１の段部、２３ｐ２，２３ｄ２…第２の段部、２４…係止爪、２５…板ばね、２６…爪座、２７…保護部材、２７ａ…下面、２７ｂ…上面、２７ｄ…凹部、２７ｐ…凸部、２７ｄ１，２７ｐ１…第１の段部、２７ｄ２，２７ｐ２…第２の段部
【図１】
0003218066.tif 000003
【図２】
0003218066.tif 000004
【図３】
0003218066.tif 000005
【図４】
0003218066.tif 000006
【図５】
0003218066.tif 000007
【図６】
0003218066.tif 000008
【図７】
0003218066.tif 000009
【図８】
0003218066.tif 000010
【図９】
0003218066.tif 000011